(57)【要約】【課題】  十分な通気性能を得るために十分に広い通気路を確保でき、しかも、強風時における雨雪の小屋裏内等への進入を確実に阻止することができる通気部材及びそれを用いた棟換気装置を提供することを課題とする。【解決手段】  一端面Ａから他端面Ｂへ通気させる通気ブロック１の、設置時において外気側に面する外側端面Ａの下端部に、所定の風力によって翻転して前記外側端面Ａの一部又は全部を閉塞する可動防水壁２を配備して成る。【選択図】図１
2005120716.tif 000002
【特許請求の範囲】
【請求項１】
一端面から他端面へ通気させる通気ブロックの、設置時において外気側に面する外側端面の下端部に、所定の風力によって翻転して前記外側端面の一部又は全部を閉塞する可動防水壁を配備して成る通気部材。
【請求項２】
前記通気ブロックは、一端面から他端面にまで延びて縦横に交錯する複数の仕切板を有している請求項１に記載の通気部材。
【請求項３】
前記可動防水壁は、前記通気ブロックの下端辺に延設されている請求項１又は２に記載の通気部材。
【請求項４】
前記可動防水壁は、前記通気ブロックの設置面に固定されている請求項１乃至３のいずれかに記載の通気部材。
【請求項５】
前記可動防水壁は、その自由側端部に低い立上り壁を有している請求項１乃至４のいずれかに記載の通気部材。
【請求項６】
前記可動防水壁は、その自由側端部にカマボコ型隆起部を有している請求項１乃至４のいずれかに記載の通気部材。
【請求項７】
前記可動防水壁は、その下面への風導入手段を有している請求項１乃至６のいずれかに記載の通気部材。
【請求項８】
前記風導入手段は、前記立上り壁を傾斜させることである請求項７に記載の通気部材。
【請求項９】
前記風導入手段は、前記可動防水壁の下面に形成される凹凸条又は凸部である請求項７に記載の通気部材。
【請求項１０】
前記設置面は、前記可動防水壁の下面への風導入手段として、その可動防水壁当接部に凹凸条又は凸部を有する請求項４に記載の通気部材。
【請求項１１】
請求項１乃至１０のいずれかに記載の通気部材を一対、前記可動防水壁を外側にして適宜間隔を置いて山形に配置して成る棟換気装置。
【請求項１２】
前記各通気部材はその下面が、内方端が上方に立上った水切りを形成した別個の下面板にそれぞれ固定され、その上面が、１つの山形の上面板にそれぞれ固定されている請求項１１に記載の棟換気装置。
【発明の詳細な説明】
【技術分野】
【０００１】
本発明は、通気部材及びそれを用いた棟換気装置、より詳細には、家屋の軒下、壁面の通気層及び通気層入口、屋根面の棟部等に設置され、雨雪の進入を防止しつつその部分の換気を行なう通気部材及びそれを用いた棟換気装置に関するものである。
【背景技術】
【０００２】
上記通気部材としては、例えば特許第２６１０３４２号公報に記載のものが知られている（図５参照）。それは、棟方向に開口する多数の通気路２３を設けた２枚の板状換気部材２１、２２を逆Ｖ字形を呈するように連結したものである。
【０００３】
この構成の場合、強風雨時等に雨雪が通気路を通って屋根裏等に滴下することを防止するためには、各換気部材の長さをかなり長いものとしなければならないが、通気路が長くなればなるだけ通気抵抗が増し、通気量の低下を招く。また、材料コストがかかり、重量が増すために施工時及び運搬時に取り扱いにくくなり、更に、その長さ分設置スペースも多く必要となるという問題もある。
【０００４】
この問題を解決するものとして、本願出願人は、図６に示すような、山形を呈する上面板３１の幅方向両端部裏面に、それぞれ外側面Ａから内側面Ｂへと抜ける多数の通気路３４を縦横に連設した通気部材３２、３３を設置し、前記各通気部材３２、３３の下面に、そこから更に内方に延びる下面板３８を定着し、前記各下面板３８の内端部を、前記上面板３１との間に通気スペースを残して上方に折曲することにより水切り板３９を形成して成る棟換気装置を提唱している（特開２００１−３２３６１９）。
【０００５】
この棟換気装置の場合は、吹き上げられてきた雨雪は、通気路３４通過の際の通気抵抗によって勢いがそがれ、その殆どが下面板３８上に落ち、また、水切り板３９に当たって落ちるため、雨雪の小屋裏側への流入が阻止される。
【０００６】
しかるに、この棟換気装置の場合は、雨雪の進入を通気路３４の際の抵抗によって阻止しようとするものであるため、当然のことながら通気路３４は、それ相相応の狭さと長さとを兼ね備えたものとする必要がある。このことは反面、通気性能が落ちることを意味する。
【０００７】
【特許文献１】特許第２６１０３４２号公報
【特許文献２】特開２００１−３２３６１９号公報
【発明の開示】
【発明が解決しようとする課題】
【０００８】
上述したように従来の通気部材並びに棟換気装置の場合は、十分な通気性能を確保するために通気路を拡げた場合には、吹き上げてくる雨雪の進入を阻止し切れなくなるおそれがあるため、通気路の拡張には限界があり、その分通気性能が低下することは止むを得ないこととされていた。
【０００９】
そこで本発明は、十分な通気性能を得るために十分に広い通気路を確保でき、しかも、強風時における雨雪の小屋裏内等への進入を確実に阻止することができる通気部材及びそれを用いた棟換気装置を提供することを課題とする。
【課題を解決するための手段】
【００１０】
上記課題を解決するための本発明に係る通気部材は、一端面から他端面へ通気させる通気ブロックの、設置時において外気側に面する外側端面の下端部に、所定の風力によって翻転して前記外側端面の一部又は全部を閉塞する可動防水壁を配備して成る。
【００１１】
通例、前記通気ブロックは、一端面から他端面にまで延びて縦横に交錯する複数の仕切板を有している。また、前記可動防水壁は、前記通気ブロックの下端辺に延設され、あるいは、前記通気ブロックの設置面に固定され、その自由側端部に低い立上り壁、あるいは、カマボコ型の隆起部を有している。
【００１２】
そして、好ましくは、前記可動防水壁は、その下面への風導入手段を有している。前記風導入手段は、前記立上り壁を傾斜させることであり、あるいは、前記可動防水壁の下面に凹凸条又は凸部を形成することである。また、前記設置面は、前記可動防水壁の下面への風導入手段として、その可動防水壁当接部に凹凸条又は凸部を有することもある。
【００１３】
また、上記課題を解決するための本発明に係る棟換気装置は、上記通気部材を一対、前記可動防水壁を外側にして適宜間隔を置いて山形に配置して成り、好ましくは、前記各通気部材は、その下面が内方端が上方に立上った水切りを形成した別個の下面板にそれぞれ固定され、その上面が、１つの山形の上面板にそれぞれ固定される。
【発明の効果】
【００１４】
本発明に係る通気部材は、強風時には可動防水壁が風に吹上げられ、その風速に応じて、通気ブロックの風上側端面の全体又は一部（中間吹上り時）を閉塞するので、一端面から他端面に抜ける通気路の開口を十分に広いものとしておくことができ、強風時以外の場合において十分な通気性を確保することができる効果がある。
【００１５】
本発明に係る棟換気装置は、上記効果を有する通気部材を山形に配置してあるので、そのまま棟に容易に設置することができ、雨雪の進入を防止しつつ棟部における良好な換気を実現し得る効果がある。
【発明を実施するための最良の形態】
【００１６】
本発明の好ましい実施の形態を添付図面に依拠して説明する。図１は本発明に係る通気部材の構成例を示すもので、それは、通気ブロック１と可動防水壁２とから成る。
【００１７】
通気ブロック１は、長さＬに対してかなり長い幅Ｗを有し、長さ方向一端面Ａから他端面Ｂへ抜ける多数の通気路３を有する。通気路３は、一端面Ａから他端面Ｂに延びて、縦横に交錯する複数の仕切板４によって形成することができる。
【００１８】
上記従来の通気部材の場合は、強風時における雨雪の進入を通気抵抗によって極力防止しようとしているため、その通気路は、縦横がミリメートル単位の狭隘なものとせざるを得ないが、本発明の通気路３の場合は、縦横をセンチメートル単位の広いものとすることができ、通気性能を大幅に向上させることができる。即ち、本発明の場合は、強風時には後記可動防水壁２の作用で、風上側となる端面Ａが部分的に又は全体的に閉塞されるので、通気路３は広いものであって差支えないのである。
【００１９】
可動防水壁２は、通例厚さ０．５ｍｍ程度のシリコンゴム、プラスチック等の可撓性薄板で構成され、その一辺が通気ブロック１の下端に固定される。可動防水壁２は、その端縁を通気ブロック１の下にもぐらせた状態で固定してもよい（図２参照）。その固定手段としては、接着、両面テープ止め、ホッチキス止め等が考えられる。
【００２０】
可動防水壁２は、必らずしも通気ブロック１と一体である必要はなく、通気ブロック１の下端部直近に配備されていれば足りる。例えば、可動防水壁２は、後出の下面板７等の通気ブロック１の設置面上に固定することもできる。
【００２１】
可動防水壁２の固定辺と反対側の自由辺に、低い立上り壁５を設けることが好ましい。この立上り壁５は、弱風時において設置面に沿って吹き上がってくる雨雪を堰止める役目を果たすもので、好ましくは、風上方向に傾斜させる。立上り壁５は、湾曲させることもある（図２（Ａ））。
【００２２】
また、立上り壁５の代わりに、カマボコ型の隆起部６を設けることもある（図２（Ｂ））。この隆起部６は、揚力を発生させ、可動防水壁２の吹上り動作の確実性に寄与する。
【００２３】
通例可動防水壁２には、強風時において確実に吹上り動作をするように、風をその下面に導入するための手段が設置される。例えばその手段として、立上り壁５を風上方向に傾斜させることが考えられる。その場合風は、傾斜壁に沿って下降し、可動防水壁２と設置面との間に入り込んで可動防水壁２を設置面から剥離するよう作用する。
【００２４】
また、他の風導入手段として、可動防水壁２の裏面に、風の流入方向と平行に凸条７又は凹条（溝）８を形成し（図３（Ａ）、（Ｂ））、あるいは、凸部９を点在させることが考えられる（図３（Ｃ））。風導入手段としての凹凸条又は凸部は、可動防水壁２の当接面（例えば、後出の下面板１１）に設けることもできる。
【００２５】
本発明に係る棟換気装置は、上記通気ブロック１と可動防水壁２とから成る通気部材を一対、可動防水壁２を外側にして適宜間隔を置いて山形に配置して成る（図４参照）。
【００２６】
図４に示す本発明に係る棟換気装置の実施形態においては、各通気部材の通気ブロック１は、内方端が上方に立上った水切り１２を形成した下面板１１に固定される。そして、各通気ブロック１の上面は、山形の上面板１３に固定されることにより、一対の通気部材が一体化される。この棟換気装置は、その状態のまま棟部に設置することができる。
【図面の簡単な説明】
【００２７】
【図１】本発明に係る通気部材の構成例を示す図である。
【図２】本発明に係る通気部材の可動防水壁の形状例を示す図である。
【図３】本発明に係る通気部材の可動防水壁の風導入手段の例を示す図である。
【図４】本発明に係る棟換気装置の構成例を示す図である。
【図５】従来の通気部材の構成例を示す図である。
【図６】従来の棟換気装置の構成例を示す図である。
【符号の説明】
【００２８】
１      通気ブロック
２      吹上りシャッター
３      通気路
４      仕切板
５      立上り壁
６      隆起部
７      凸条
８      凹条（溝）
９      凸部
１１    下面板
１２    水切り
１３    上面板
【図１】
2005120716.tif 000003
【図２】
2005120716.tif 000004
【図３】
2005120716.tif 000005
【図４】
2005120716.tif 000006
【図５】
2005120716.tif 000007
【図６】
2005120716.tif 000008